(57)【特許請求の範囲】
【請求項１】
インターホン機器を壁面に設置するためのインターホン機器の設置構造であって、
非通電時において所定方向へ付勢されたプランジャを有するソレノイドと、前記プランジャに組み付けられ、前記プランジャの移動と共にスライドするとともに、前記所定方向へ向かって徐々に薄肉とされ、端縁側が最も薄肉となるテーパ面が設けられた掛止フレームとからなる掛止部材が、前記インターホン機器の前記壁面に対向する面となる後面に、当該後面上で前記掛止フレームがスライドするように設けられている一方、
前記インターホン機器と前記壁面との間で前記壁面側に固定された設置用金具に、前記掛止部材が前後方向に通過可能な掛止孔が設けられており、
前記テーパ面を前記掛止孔の前方側の周縁に当接させた状態で、前記インターホン機器が後方へ押し込まれると、前記掛止フレームが、前記テーパ面を介してかかる負荷により、前記プランジャの前記付勢に抗して前記プランジャと共にスライドしながら、前記掛止孔内を前方から後方へ通過するとともに、当該通過後、前記付勢によって復帰する前記プランジャと共に前記所定方向へ移動することにより、前記掛止孔の周縁に掛止することを特徴とするインターホン機器の設置構造。
【請求項２】
前記掛止フレームが、前記ソレノイドの周囲を囲むように設けられており、
通電に応じて前記ソレノイドが作動し、前記プランジャが反付勢方向へ移動する際、前記掛止フレームの一部が前記ソレノイドに当接して、前記プランジャの所定量以上の移動が規制されることを特徴とする請求項１に記載のインターホン機器の設置構造。
【発明の詳細な説明】
【技術分野】
【０００１】
本発明は、たとえば来訪者からの呼び出しに対して応答するためのインターホン親機を居室内の壁面等に設置するためのインターホン機器の設置構造に関するものである。
【背景技術】
【０００２】
従来周知のインターホン機器は、玄関や居室内の壁面に設置されて使用されることが多い。そして、インターホン機器を壁面に設置するにあたっては、壁面に設置用金具を固定するとともに、設置用金具にインターホン機器を掛止するための掛止部を、インターホン機器に被掛止部を夫々設け、設置用金具へインターホン機器を引っ掛けるようにして取り付けていた（たとえば特許文献１）。
【先行技術文献】
【特許文献】
【０００３】
【特許文献１】特開２０１０−８０５６６号公報
【発明の概要】
【発明が解決しようとする課題】
【０００４】
しかしながら、従来のインターホン機器の設置構造では、ただ単に被掛止部を掛止部へ引っ掛けているだけにすぎないため、使用者がインターホン機器に触れた際等に、インターホン機器が設置用金具から不用意に外れてしまうおそれがあるという問題があった。また、その問題を解決すべく、設置用金具へネジ等を用いて固定するとなると、設置作業が煩雑になるという問題が生じる。
【０００５】
そこで、本発明は、上記問題に鑑みなされたものであって、従来よりも確実に且つ容易にインターホン機器を壁面等に設置することができるインターホン機器の設置構造を提供しようとするものである。
【課題を解決するための手段】
【０００６】
上記目的を達成するために、本発明のうち請求項１に記載の発明は、インターホン機器を壁面に設置するためのインターホン機器の設置構造であって、非通電時において所定方向へ付勢されたプランジャを有するソレノイドと、プランジャに組み付けられ、プランジャの移動と共にスライドするとともに、所定方向へ向かって徐々に薄肉とされ、端縁側が最も薄肉となるテーパ面が設けられた掛止フレームとからなる掛止部材が、インターホン機器の壁面に対向する面となる後面に、当該後面上で掛止フレームがスライドするように設けられている一方、インターホン機器と壁面との間で壁面側に固定された設置用金具に、掛止部材が前後方向に通過可能な掛止孔が設けられており、テーパ面を掛止孔の前方側の周縁に当接させた状態で、インターホン機器が後方へ押し込まれると、掛止フレームが、テーパ面を介してかかる負荷により、プランジャの付勢に抗してプランジャと共にスライドしながら、掛止孔内を前方から後方へ通過するとともに、当該通過後、付勢によって復帰するプランジャと共に所定方向へ移動することにより、掛止孔の周縁に掛止することを特徴とする。
請求項１に記載の発明によれば、掛止部材が掛止孔から抜け落ちない限りインターホン機器が脱落したりしないため、たとえば使用者が操作する際等に、壁面へ設置したインターホン機器が不用意に脱落してしまうような事態が発生しにくくなる。また、インターホン機器を設置用金具の前方側から後方へ押し込むだけでインターホン機器を設置用金具に掛止することができ、インターホン機器の設置作業が非常に容易となる。
【０００８】
請求項２に記載の発明は、請求項１に記載の発明において、掛止フレームが、ソレノイドの周囲を囲むように設けられており、通電に応じてソレノイドが作動し、プランジャが反付勢方向へ移動する際、掛止フレームの一部がソレノイドに当接して、プランジャの所定量以上の移動を規制することを特徴とする。
請求項２に記載の発明によれば、プランジャの可動領域を小さく抑えて省スペース化を図ることができ、インターホン機器の後面側の空間の有効に利用することができる。
【発明の効果】
【０００９】
本発明によれば、非通電時において所定方向へ付勢されたプランジャを有するソレノイドと、プランジャに組み付けられ、プランジャの移動と共にスライドするとともに、所定方向へ向かって徐々に薄肉とされ、端縁側が最も薄肉となるテーパ面が設けられた掛止フレームとからなる掛止部材が、インターホン機器の壁面に対向する面となる後面に、当該後面上で掛止フレームがスライドするように設けられている一方、インターホン機器と壁面との間で壁面側に固定された設置用金具に、掛止部材が前後方向に通過可能な掛止孔が設けられており、テーパ面を掛止孔の前方側の周縁に当接させた状態で、インターホン機器が後方へ押し込まれると、掛止フレームが、テーパ面を介してかかる負荷により、プランジャの付勢に抗してプランジャと共にスライドしながら、掛止孔内を前方から後方へ通過するとともに、当該通過後、付勢によって復帰するプランジャと共に所定方向へ移動することにより、掛止孔の周縁に掛止するように構成しているため、掛止部材が掛止孔から抜け落ちない限りインターホン機器が脱落したりしないため、たとえば使用者が操作する際等に、壁面へ設置したインターホン機器が不用意に脱落してしまうような事態が発生しにくくなる。また、インターホン機器を設置用金具の前方側から後方へ押し込むだけでインターホン機器を設置用金具に掛止することができ、インターホン機器の設置作業が非常に容易となる。
【図面の簡単な説明】
【００１０】
【図１】インターホン親機を前面側から示した斜視説明図である。
【図２】設置用金具に取り付けた状態にあるインターホン親機を後面側から示した斜視説明図である。
【図３】設置用金具を示した説明図である。
【図４】掛止部材を示した説明図である。
【図５】掛止フレームが切り欠きの周縁に掛止する前の状態を示した断面説明図である。
【図６】掛止フレームが切り欠きの周縁に掛止した状態を示した断面説明図である。
【図７】掛止フレームのテーパ面が切り欠きに当接している状態を部分的に拡大して示した説明図である。
【発明を実施するための形態】
【００１１】
以下、本発明の一実施形態となるインターホン機器の設置構造について、図面にもとづき詳細に説明する。
図１は、インターホン機器の一例であるインターホン親機１を前面側から示した斜視説明図であり、図２は、設置用金具２１に取り付けた状態にあるインターホン親機１を後面側から示した斜視説明図である。
【００１２】
インターホン親機１は、主にケース体２の後面に各種部材を取り付けてなるもので、ケース体２は矩形の略プレート状に成形されている。また、３は、該ケース体２の後面に取り付けられ、たとえば玄関等に設置されているインターホン子機（図示せず）との間での通話動作や、インターホン子機で撮像された映像の表示動作等を制御する制御基板３である。さらに、ケース体２の中央には開口４が開設されており、該開口４内に、上記映像を表示するとともに各種設定操作としての操作部としても機能するタッチパネル式の表示画面５が露出するように、ケース体２の後面には表示装置（図示せず）が取り付けられている。加えて、ケース体２の後面には、通話のためのスピーカ部やマイク部を構成する図示しない各種部材も取り付けられている。一方、ケース体２の前面には、インターホン子機からの呼び出しに応答するために操作する操作ボタン６が設けられているとともに、ケース体２の前面を覆うように化粧パネル７が取り付けられている。このようなインターホン親機１は、後述する設置用金具２１を介して居室内の壁面Ｗに設置されている。そして、インターホン子機からの呼び出しに応じて、居住者により操作ボタン６が押し込み操作されると、インターホン子機との間で通話可能となる。
【００１３】
ここで、発明の要部となるインターホン親機１と設置用金具２１との掛止機構について、図３〜図７をもとに説明する。
図３は、設置用金具２１を示した説明図であり、図４は、掛止部材３１を示した説明図である。図５は、掛止フレーム３３が切り欠き２４の周縁に掛止する前の状態を示した断面説明図であり、図６は、掛止フレーム３３が切り欠き２４の周縁に掛止した状態を示した断面説明図である。図７は、掛止フレーム３３のテーパ面３３ｂが切り欠き２４に当接している状態を部分的に拡大して示した説明図である。
【００１４】
設置用金具２１は、ケース体２よりは一回り小さな金属製の矩形プレートであって、下縁を除く左右上縁部には、設置用金具２１を壁面Ｗへネジ止めするための複数のビス孔２２、２２・・が穿設されている。また、設置用金具２１の中央には、設置用金具２１の前面にインターホン親機１を設置した際に、設置用金具２１よりも後方へ制御基板３等を逃がすための窓２３が開設されている。そして、窓２３の左右両側縁部には、後述する掛止フレーム３３が通過可能な切り欠き２４、２４が夫々形成されている。また、設置用金具２１の四隅部には、インターホン親機１を設置用金具２１に掛止する際に、インターホン親機１の設置用金具２１に対する位置を位置決めする位置決め部としての位置決め孔２５、２５・・が夫々穿設されている。
【００１５】
一方、インターホン親機１のケース体２の後面には、位置決め孔２５、２５・・と対応する間隔で、それぞれ位置決め孔２５に挿通可能な４つの位置決め突起３０、３０・・が後方へ突設されている。また、インターホン親機２のケース体２の後面であって、位置決め突起３０、３０・・を夫々対応する位置決め孔２５、２５・・へ挿通させた際に、切り欠き２４、２４と対応する位置に、掛止部材３１、３１が取り付けられている。掛止部材３１は、プランジャ３２ａを有するソレノイド３２と、プランジャ３２ａに組み付けられる掛止フレーム３３と、掛止フレーム３３のスライドを案内する案内部材３４とからなる。ソレノイド３２のプランジャ３２ａは、突出位置と引込位置との間を移動可能に設けられており、非通電時は引込位置に付勢されており、たとえば表示画面５において所定の操作をおこなう等して通電されると、突出位置側（すなわち反付勢方向へ）移動するようになっている。また、プランジャ３２ａの先端には、掛止フレーム３３を組み付けるための突起３２ｂ、３２ｂが設けられている。
【００１６】
掛止フレーム３３は、切り欠き２４よりは小さな略四角形フレーム状に形成された合成樹脂製部材であって、掛止フレーム３３の下辺部には、プランジャ３２ａの突起３２ｂを挿入可能な挿入孔（図示せず）が設けられており、挿入孔へ突起３２ｂの一方を挿入することにより、ソレノイド３２をフレーム内に収納した状態、すなわちソレノイド３２の左右側面及び上面を囲むような状態で掛止フレーム３３とソレノイド３２とを一体化することができる。また、掛止フレーム３３は、ソレノイド３２との一体化状態においてプランジャ３２ａが引込位置にあると、その上辺部３３ａとソレノイド３２の上面との間に空間があるような大きさに形成されている（図４（ａ）、（ｂ））。そして、該上辺部３３ａは、プランジャ３２ａの突出位置側への移動に伴い、ソレノイド３２の上面に当接してプランジャ３２ａの更なる突出位置側への移動を規制する規制部として機能するようになっている（図４（ｃ）、（ｄ））。さらに、掛止フレーム３３の上辺部３３ａの後面には、上端縁が最も薄肉となるように上方へ向かって徐々に薄肉となるテーパ面３３ｂが設けられている。加えて、掛止フレーム３３の左右両側辺部の前面には、それぞれ案内凸条３３ｃが上下方向に延設されている。
【００１７】
上述の如く一体化されたソレノイド３２と掛止フレーム３３とは、プランジャ３２ａが下方を向くような姿勢で、掛止フレーム３３とケース体２との間に案内部材３４を介在させて、ソレノイド３２を固定具３５によりケース体２の後面に固定することにより、掛止部材３１はケース体２の後面に設けられている。そのため、掛止フレーム３３にプランジャ３２ａの反付勢方向へ負荷がかかったり、当該負荷が解除されたりすると、ソレノイド３２の固定位置を基準として、掛止フレーム３３とプランジャ３２ａとが案内部材３４に案内されながら上下方向へ移動可能となっている。なお、案内部材３４の後面には、一対のレール溝（図示せず）が設けられており、該レール溝に掛止フレーム３３の案内凸条３３ｃ、３３ｃが嵌入している。
【００１８】
そして、上記インターホン親機１の設置用金具２１を利用した壁面Ｗへの設置方法について説明すると、まず壁面Ｗに制御基板３等を収納可能で、且つ、設置用金具２１よりは小さな穴Ｈ（特に位置決め孔２５、２５・・の穿設位置よりは大きく、ビス孔２２、２２・・の穿設位置よりは小さい）を設ける。次に、設置用金具２１をビス止めにより穴Ｈの周縁部（すなわち壁面Ｗ）に固定する。その後、位置決め突起３０、３０・・を位置決め孔２５、２５・・内へ挿通させ（図５）てから、インターホン親機１を掛止部材３１、３１が切り欠き２４、２４の上縁に掛止するまで略水平に後方（すなわち壁面Ｗ側）へ押し込めばよい。このとき、各掛止フレーム３３のテーパ面３３ｂが切り欠き２４の上縁に当接した後、テーパ面３３ｂに下方への負荷がかかることになり、掛止フレーム３３がプランジャ３２ａの付勢力に抗しながら徐々に下方へスライドする（図７）。そして、最終的には、掛止フレーム３３が、切り欠き２４内を前方から後方へくぐりぬけるような格好で通過し、設置用金具２１よりも後方へ移動すると、今度はソレノイド３２の付勢力によってプランジャ３２ａが引込位置へ復帰し、掛止フレーム３３が掛止位置に位置する、すなわち掛止部材３１が切り欠き２４の上縁に掛止し（図６）、インターホン親機１の設置作業は完了となる。
【００１９】
一方、インターホン親機１を取り外す際には、表示画面５において所定の操作を実行すると、各ソレノイド３２が作動し、掛止フレーム３３の上辺部３３ａがソレノイド３２の上面に当接するまでプランジャ３２ａが突出位置側へ移動する。すなわち、掛止フレーム３３が下方へスライドし、掛止フレーム３３の上辺部３３ａが切り欠き２４内に位置することになり、掛止部材３１の切り欠き２４への掛止が解除となる。したがって、当該状態のままインターホン親機１を前方へ引き出せば、インターホン親機１を取り外すことができる。
【００２０】
以上のような構成を有するインターホン親機１の設置構造によれば、設置用金具２１に切り欠き２４、２４を、インターホン親機１の後面に、引込位置へ付勢されたプランジャ３２ａを有するソレノイド３２、及びプランジャ３２ａに組み付けられ、プランジャ３２ａの移動と共にプランジャ３２ａの移動方向へスライドする掛止フレーム３３を備えた掛止部材３１、３１を夫々設けており、壁面Ｗへ固定された設置用金具２１に対して、掛止部材３１の掛止フレーム３３に負荷をかけてプランジャ３２ａと共に反付勢方向へスライドさせながら、切り欠き２４内を前方から後方へ通過させた後、掛止フレーム３３への負荷が解除になると、付勢力によりプランジャ３２ａが引込位置へと復帰することによって掛止フレーム３３も移動し、掛止部材３１が切り欠き２４の周縁に掛止するという掛止機構を有している。したがって、掛止部材３１が切り欠き２４から抜け落ちない限りインターホン親機１が設置用金具２１から脱落しないため、たとえば居住者が応答操作する際等に、壁面Ｗへ設置したインターホン親機１が不用意に脱落したりする事態が発生しにくくなる。
【００２１】
また、掛止フレーム３３の後面に、端縁が最も薄肉となるように端縁へ向かって徐々に薄肉となるテーパ面３３ｂを設けており、テーパ面３３ｂが切り欠き２４の前面側の周縁部に当接した状態でインターホン親機１を後方へ押し込むと、掛止フレーム３３及びプランジャ３２ａに反付勢方向への負荷がかかり、掛止フレーム３３がプランジャ３２ａを突出させながら下方へスライドするように構成している。したがって、インターホン親機１を設置用金具２１の前方側から後方へ押し込むだけでインターホン親機１を設置用金具２１に掛止することができ、インターホン親機１の設置作業が非常に容易となる。
【００２２】
さらに、掛止フレーム３３がソレノイド３２の周囲を囲むように組み付けられており、プランジャ３２ａの突出位置側への移動に伴い、掛止フレーム３３の上辺部３３ａがソレノイド３２の上面に当接してプランジャ３２ａの更なる突出位置側への移動を規制するようになっている。したがって、プランジャ３２ａの可動領域を小さく抑えて省スペース化を図ることができ、ケース体３２の後面側の空間の有効に利用することができる。
【００２３】
加えて、設置用金具２１に位置決め孔２５、２５・・を、インターホン親機１の後面に後方へ突出する位置決め突起３０、３０・・を夫々設けている。したがって、位置決め突起３０、３０・・を位置決め孔２５、２５・・に挿通させるだけで、掛止部材３１、３１を切り欠き２４、２４に対応する位置へと位置決めすることができ、設置作業が一層容易となる。また、位置決め突起３０の位置決め孔２５への挿通により、インターホン親機１の前方への移動以外について仮止めした上で、掛止部材３１の切り欠き２４上縁への掛止によりインターホン親機１の前方への移動を規制することができる。したがって、インターホン親機１の壁面Ｗへの設置状態をはめ殺しとすることができ、インターホン親機１の脱落を確実に防止することができる。
【００２４】
なお、本発明に係るインターホン機器の設置構造は、上記実施形態の態様に何ら限定されるものではなく、各インターホン機器に係る構成は勿論、掛止部材や設置用金具に係る構成についても、本発明の趣旨を逸脱しない範囲で、必要に応じて適宜変更することができる。
【００２５】
たとえば、上記実施形態では、掛止部材３１を２つしか設けていないが、３つ以上設けたり、逆に１つしか設けなくてもよく、掛止部材３１の数については適宜変更可能である。また、掛止部材３１を設置する際の姿勢についても、上記実施形態では左右とも同じ姿勢としているが、左右逆向きに設置してもよい。したがって、ケース体２の上下左右に１つずつそれぞれ放射方向へプランジャ３２ａが作動するような姿勢で掛止部材３１を設ければ、位置決め突起３０等を設けずとも、掛止部材３１、３１・・のみによって設置用金具２１への設置が可能となる。
【００２６】
また、上記実施形態では仮止め機構として位置決め孔２５及び位置決め突起３０を採用しているが、それらに代えて、フック状の係止爪をケース体２の後面上部に、設置用金具２１に係止爪が係止可能な係止凹部や係止片等の被係止部を夫々設けて仮止め機構を構成するとともに、上記同様の掛止部材３１、３１をケース体２の下部に設けるような設置構造も考えられる。当該構成によれば、上記実施形態の如くインターホン親機１を水平に押し込むのではなく、係止爪を被係止部に係止した上で、当該係止位置を中心に後方へ揺動させるように押し込むことでインターホン親機１を設置することができる。そして、このような構成を採用したとしても、仮止め機構では規制できていないインターホン親機１の上方への移動を掛止部材３１、３１により規制することができる。つまり、上記実施形態同様にはめ殺し構造を実現することができる上、設置作業の簡略化等、他の効果についても同様に奏することができる。
【００２７】
さらに、上記実施形態では引込位置へ付勢されたソレノイド３２を採用しているが、逆に突出位置へ付勢されたソレノイドを採用することも可能であるし、ソレノイドの代わりにバネ等で掛止を保持する方向へ爪片が付勢されているような掛止部材を用いても何ら問題はない。さらにまた、テーパ面３３ｂ等を設けず、掛止フレーム３３からケース体２の外方へ向けて押下突起を突設し、上記実施形態では後方への押し込みに応じて自動的に掛止フレーム３３が移動していたところを、作業者が押下突起を押圧して掛止フレーム３３を押し下げながら設置するように構成することも可能である。
【００２８】
またさらに、上記実施形態では壁面Ｗに穴Ｈを開設してインターホン親機１を取り付けるように構成しているが、設置用金具２１に脚部等を設けることにより、穴Ｈを開設することなくインターホン親機１を設置することができるし、ケース体２についても従来同様に前ケースと後ケースとを組み付けてなるものを採用しても何ら問題はない。
加えて、インターホン親機１の設置構造について説明しているが、本発明の設置構造は、玄関に設置するインターホン子機等の他のインターホン機器に対しても良好に適用することができる。
【符号の説明】
【００２９】
１・・インターホン親機（インターホン機器）、２・・ケース体、３・・制御基板、２１・・設置用金具、２２・・ビス孔、２３・・窓、２４・・切り欠き（掛止孔）、２５・・位置決め孔（仮止め機構）、３０・・位置決め突起（仮止め機構）、３１・・掛止部材、３２・・ソレノイド、３２ａ・・プランジャ、３２ｂ・・突起、３３・・掛止フレーム（掛止部）、３３ａ・・上辺部、３３ｂ・・テーパ面、３３ｃ・・案内凸条、３４・・案内部材。
【図１】
0005836839.tif 000002
【図２】
0005836839.tif 000003
【図３】
0005836839.tif 000004
【図４】
0005836839.tif 000005
【図５】
0005836839.tif 000006
【図６】
0005836839.tif 000007
【図７】
0005836839.tif 000008